(57)【要約】【課題】細長い帯状形状を有しながらも表面に印刷を施す場合に製造効率を向上させる。【解決手段】互いに並行した帯状の３本の本体部１０ａ〜１０ｃと、本体部１０ａ〜１０ｃのうち最も外側に配置された２本の本体部１０ａ，１０ｃにそれぞれ並行した帯状の２本のバンド部１１ａ，１１ｂとを有し、本体部１０ａ〜１０ｃはそれぞれ隣接する本体部と山折り可能に連接し、バンド部１１ａ，１１ｂは、並行する本体部１０ａ，１０ｃの側部のうち、本体部１０ａ〜１０ｃの長手方向の互いに異なる端部側の領域にて本体部１０ａ，１０ｃと山折り可能にそれぞれ連接するとともに、本体部１０ａ，１０ｃが山折り可能に連接する山折り予定線１３ａ，１３ｂの端部のうち長手方向中央側の端部からバンド部１１ａ，１１ｂの反対側の側部まで延びた山折り予定線１４ａ，１４ｂをそれぞれ具備し、本体部１０ａとバンド部１１ａ，１１ｂは、同一面側に印刷が施されている。【選択図】図１
2010216038.tif 000002
【特許請求の範囲】
【請求項１】
帯状形状を具備し、互いに並行して配置された奇数本の本体部と、
前記奇数本の本体部のうち最も外側に配置された２本の本体部にそれぞれ並行して隣接した帯状形状を具備する２本のバンド部とを有し、
前記奇数本の本体部は、それぞれ隣接する本体部と山折り可能に連接し、
前記２本のバンド部のうち一方のバンド部は、当該バンド部に並行して隣接する本体部の側部のうち、前記奇数本の本体部の長手方向の一方の端部側の領域にて当該並行して隣接する本体部と山折り可能に連接するとともに、当該並行して隣接する本体部が山折り可能に連接する連接辺の端部のうち前記長手方向中央側の端部から当該バンド部の反対側の側部まで延びた山折り予定線を具備し、
前記２本のバンド部のうち他方のバンド部は、当該バンド部に並行して隣接する本体部の側部のうち、前記奇数本の本体部の長手方向の前記一方のバンド部とは異なる他方の端部側の領域にて当該並行して隣接する本体部と山折り可能に連接するとともに、当該並行して隣接する本体部が山折り可能に連接する連接辺の端部のうち前記長手方向中央側の端部から当該バンド部の反対側の側部まで延びた山折り予定線を具備し、
前記バンド部に並行して隣接する２本の本体部のうち少なくとも一方の本体部と前記２本のバンド部は、同一面側にそれぞれ印刷が施されているリストバンド。
【請求項２】
請求項１に記載のリストバンドにおいて、
前記印刷が施されている本体部は、該本体部の長手方向に延びたアンテナを具備する非接触情報記録手段が内蔵されているリストバンド。
【請求項３】
請求項２に記載のリストバンドにおいて、
前記本体部が３本並行して配置され、
前記本体部は、前記２本のバンド部が前記山折り予定線にてそれぞれ山折りされ、かつ、前記３本の本体部と前記２本のバンド部とが山折りされた場合に、前記２本のバンド部のそれぞれについて、当該バンド部が山折りされることにより２重となった領域に対向する領域のうち、少なくとも１つの本体部の領域に粘着剤が塗布されているリストバンド。
【発明の詳細な説明】
【技術分野】
【０００１】
本発明は、手首や足首等に装着して使用されるリストバンドに関し、特に、製造効率の向上技術に関する。
【背景技術】
【０００２】
従来より、病院等において、検査や治療のために入院する患者の手首や足首にリストバンドを装着させ、このリストバンドを用いて患者を識別、管理することが行われている。この場合、リストバンドの表面に、患者の氏名や血液型、受診科目、病棟名、あるいは患者を識別するためのバーコード情報を印字しておき、この情報を肉眼あるいはバーコードリーダで読み取ることによって、患者を識別、管理している（例えば、特許文献１参照。）。また、近年では、上述したように患者を識別可能な情報が印字されたリストバンドに、非接触状態にて情報の書き込み及び読み出しが可能なＩＣシートを取り付け可能に構成されたものも考えられている（例えば、特許文献２参照。）。
【先行技術文献】
【特許文献】
【０００３】
【特許文献１】特開２００２−３６３８０８号公報
【特許文献２】特開２００５−２８７６６３号公報
【発明の概要】
【発明が解決しようとする課題】
【０００４】
上述したリストバンドは、手首や足首に巻き付けて装着するものであるため、細長い帯状形状となっている。そのため、その表面に上述したような情報や模様等を印刷する場合、表面に情報や模様を印刷するプリンタにおいては、情報や模様を印刷する記録媒体の搬送幅の制限等から、帯状形状の長手方向を搬送方向としてリストバンドを搬送しながら情報や模様を印字していくこととなる。
【０００５】
このように、帯状形状の長手方向を搬送方向としてリストバンドを搬送しながら情報や模様を印刷する場合、プリンタにおける印字幅が非常に狭いものとなり、製造効率が著しく悪い。そこで、帯状のリストバンドを複数本並べて配置して搬送しながら情報や模様を印刷していくことが考えられるが、その場合、並べられた複数本のリストバンドが同時に搬送されることになるため、リストバンドを、１本等、並べられた本数未満だけ必要とする場合に無駄なリストバンドが生じてしまうという問題点がある。
【０００６】
本発明は、上述したような従来の技術が有する問題点に鑑みてなされたものであって、細長い帯状形状を有しながらもその表面に印刷を施す場合にその製造効率を向上させることができるリストバンドを提供することを目的とする。
【課題を解決するための手段】
【０００７】
上記目的を達成するために本発明は、
帯状形状を具備し、互いに並行して配置された奇数本の本体部と、
前記奇数本の本体部のうち最も外側に配置された２本の本体部にそれぞれ並行して隣接した帯状形状を具備する２本のバンド部とを有し、
前記奇数本の本体部は、それぞれ隣接する本体部と山折り可能に連接し、
前記２本のバンド部のうち一方のバンド部は、当該バンド部に並行して隣接する本体部の側部のうち、前記奇数本の本体部の長手方向の一方の端部側の領域にて当該並行して隣接する本体部と山折り可能に連接するとともに、当該並行して隣接する本体部が山折り可能に連接する連接辺の端部のうち前記長手方向中央側の端部から当該バンド部の反対側の側部まで延びた山折り予定線を具備し、
前記２本のバンド部のうち他方のバンド部は、当該バンド部に並行して隣接する本体部の側部のうち、前記奇数本の本体部の長手方向の前記一方のバンド部とは異なる他方の端部側の領域にて当該並行して隣接する本体部と山折り可能に連接するとともに、当該並行して隣接する本体部が山折り可能に連接する連接辺の端部のうち前記長手方向中央側の端部から当該バンド部の反対側の側部まで延びた山折り予定線を具備し、
前記バンド部に並行して隣接する２本の本体部のうち少なくとも一方の本体部と前記２本のバンド部は、同一面側にそれぞれ印刷が施されている。
【０００８】
上記のように構成された本発明においては、帯状形状を具備し、互いに並行して配置された奇数本の本体部と、奇数本の本体部のうち最も外側に配置された２本の本体部にそれぞれ並行して隣接した帯状形状を具備する２本のバンド部とを有し、バンド部に並行して隣接する２本の本体部のうち少なくとも一方の本体部と２本のバンド部の同一面側にそれぞれ印刷が施されている。この２本のバンド部が山折り予定線にて山折りされ、また、奇数本の本体部と２本のバンド部とが、印刷が施されたバンド部が表出するように山折りされると、表出したバンド部の印刷が施された面と２本のバンド部の印刷が施された面が同一面側となる。
【０００９】
このように、リストバンドを構成する奇数本の本体部とバンド部とが、互いに並行して配置されており、これらを山折りすることによって細長い帯状形状のリストバンドが構成され、本体部とバンド部との同一面側にそれぞれ施された印刷が、同一面側にて表出するので、細長い帯状形状のリストバンドの表面に印刷を施す場合に、リストバンドの長手方向の長さ分リストバンドを搬送する必要がなくなり、製造効率が向上することになる。
【００１０】
また、印刷が施されている本体部に、この本体部の長手方向に延びたアンテナを具備する非接触情報記録手段が内蔵されている場合は、表面に印刷された情報のみならず、非接触情報記録手段に記録された情報を用いて、このリストバンドを装着した患者等を識別、管理することができる。この場合、非接触情報記録手段を内蔵した本体部は帯状形状を有するものであるため、例えば、帯状のアンテナを具備する非接触情報記録手段を内蔵することができ、また、上記のように山折りされた場合、３本の本体部が重なり合った状態で、非接触情報記録手段が内蔵された本体部が一方の面にて表出するので、この面と反対側の面が手首や足首に対向するように装着すれば、非接触情報記録手段が手首や足首から若干浮き上がった状態となり、このリストバンドを装着した患者等の手首や足首が濡れている等、非接触状態における情報の書き込みや読み出しに障害が生じる状態であっても、その影響が軽減される。
【００１１】
また、本体部が３本並行して配置され、本体部が、２本のバンド部が山折り予定線にてそれぞれ山折りされ、かつ、３本の本体部と２本のバンド部とが山折りされた場合に、２本のバンド部のそれぞれについて、そのバンド部が山折りされることにより２重となった領域に対向する領域のうち、少なくとも１つの本体部の領域に粘着剤が塗布されていれば、２本のバンド部のうち、そのバンド部が山折りされることにより２重となった領域が粘着剤によって本体部に固定され、バンド部と本体部との連接辺が破断しにくくなる。
【発明の効果】
【００１２】
以上説明したように本発明においては、帯状形状を具備し、互いに並行して配置された奇数本の本体部と、奇数本の本体部のうち最も外側に配置された２本の本体部にそれぞれ並行して隣接した帯状形状を具備する２本のバンド部とを有し、奇数本の本体部が、それぞれ隣接する本体部と山折り可能に連接し、２本のバンド部のうち一方のバンド部が、そのバンド部に並行して隣接する本体部の側部のうち、奇数本の本体部の長手方向の一方の端部側の領域にて並行して隣接する本体部と山折り可能に連接するとともに、並行して隣接する本体部が山折り可能に連接する連接辺の端部のうち長手方向中央側の端部からそのバンド部の反対側の側部まで延びた山折り予定線を具備し、また、２本のバンド部のうち他方のバンド部が、そのバンド部に並行して隣接する本体部の側部のうち、奇数本の本体部の長手方向の一方のバンド部とは異なる他方の端部側の領域にて並行して隣接する本体部と山折り可能に連接するとともに、並行して隣接する本体部が山折り可能に連接する連接辺の端部のうち長手方向中央側の端部からそのバンド部の反対側の側部まで延びた山折り予定線を具備し、バンド部に並行して隣接する２本の本体部のうち少なくとも一方の本体部と２本のバンド部が同一面側にそれぞれ印刷が施されている構成としたため、リストバンドを構成する奇数本の本体部とバンド部とが、互いに並行して配置されており、これらを山折りすることによって細長い帯状形状のリストバンドが構成され、本体部とバンド部との同一面側に施された印刷が、同一面側にて表出することとなり、それにより、細長い帯状形状のリストバンドの表面に印刷を施す場合に、リストバンドの長手方向の長さ分リストバンドを搬送する必要がなくなり、製造効率を向上させることができる。
【００１３】
また、印刷が施されている本体部に、この本体部の長手方向に延びたアンテナを具備する非接触情報記録手段が内蔵されているものにおいては、表面に印刷された情報のみならず、非接触情報記録手段に記録された情報を用いて、このリストバンドを装着した患者等を識別、管理することができる。この場合、非接触情報記録手段を内蔵した本体部は帯状形状を有するものであるため、例えば、帯状のアンテナを具備する非接触情報記録手段を内蔵することができ、また、上記のように山折りされた場合、３本の本体部が重なり合った状態で、非接触情報記録手段が内蔵された本体部が一方の面にて表出するので、この面と反対側の面が手首や足首に対向するように装着すれば、非接触情報記録手段が手首や足首から若干浮き上がった状態となり、このリストバンドを装着した患者等の手首や足首が濡れている等、非接触状態における情報の書き込みや読み出しに障害が生じる状態であっても、その影響が軽減される。
【００１４】
また、本体部が３本並行して配置され、本体部が、２本のバンド部が山折り予定線にてそれぞれ山折りされ、かつ、３本の本体部と２本のバンド部とが山折りされた場合に、２本のバンド部のそれぞれについて、そのバンド部が山折りされることにより２重となった領域に対向する領域のうち、少なくとも１つの本体部の領域に粘着剤が塗布されているものにおいては、２本のバンド部のうち、そのバンド部が山折りされることにより２重となった領域が粘着剤によって本体部に固定され、バンド部と本体部との連接辺が破断しにくくなる。
【図面の簡単な説明】
【００１５】
【図１】本発明のリストバンドの第１の実施の形態を示す図であり、（ａ）は全体の構成を示す図、（ｂ）は（ａ）に示したＡ−Ａ’断面図、（ｃ）は（ａ）に示したＢ−Ｂ’断面図、（ｄ）は（ａ）に示したＣ−Ｃ’断面図である。
【図２】図１に示したリストバンドの使用方法を説明するための図である。
【図３】本発明のリストバンドの第２の実施の形態を示す図であり、（ａ）は全体の構成を示す図、（ｂ）は（ａ）に示したＡ−Ａ’断面図、（ｃ）は（ａ）に示したリストバンドの裏面の構成を示す図である。
【図４】図３に示したリストバンドの使用方法を説明するための図である。
【発明を実施するための形態】
【００１６】
以下に、本発明の実施の形態について図面を参照して説明する。
【００１７】
（第１の実施の形態）
図１は、本発明のリストバンドの第１の実施の形態を示す図であり、（ａ）は全体の構成を示す図、（ｂ）は（ａ）に示したＡ−Ａ’断面図、（ｃ）は（ａ）に示したＢ−Ｂ’断面図、（ｄ）は（ａ）に示したＣ−Ｃ’断面図である。
【００１８】
本形態は図１に示すように、互いに並行して配置された帯状形状を具備する３本の本体部１０ａ〜１０ｃと、これら３本の本体部１０ａ〜１０ｃｂのうち外側に配置された２本の本体部１０ａ，１０ｃにそれぞれ並行して配置された帯状形状を具備する２本のバンド部１１ａ，１１ｂとから構成されており、３本の本体部１０ａ〜１０ｃは、それぞれ隣接する本体部１０ａ〜１０ｃと山折り予定線１２ａ，１２ｂにて山折り可能に連接している。
【００１９】
３本の本体部１０ａ〜１０ｃのうち、外側に配置された本体部１０ａ，１０ｃの一方の本体部１０ａは、表面シート３と支持シート４とが非接触情報記録手段であるインレット５を挟んで粘着剤６によって貼着されて構成され、支持シート４が粘着剤６を介して剥離台紙２に剥離可能に貼着されている。このインレット５は、帯状形状を具備するアンテナ１９と、このアンテナ１９に接続されたＩＣチップ１８とを有している。アンテナ１９は、本体部１０ａの長手方向に延びるように配置されており、外部から照射される電波に共振して電流が流れ、この電流がＩＣチップ１８に供給されることにより、ＩＣチップ１８に対する情報の書き込みや読み出しが非接触状態にて行われる。また、本体部１０ａには、表面シート３に印刷が施されることにより患者情報１６が印字されている。
【００２０】
３本の本体部１０ａ〜１０ｃのうち、本体部１０ｂと、外側に配置された本体部１０ａ，１０ｃの他方の本体部１０ｃは、表面シート３と支持シート４とが粘着剤６によって直接貼着されて構成され、支持シート４が粘着剤６を介して剥離台紙２に剥離可能に貼着されている。
【００２１】
２本のバンド部１１ａ，１１ｂのうち一方のバンド部１１ａは、このバンド部１１ａに並行して隣接する本体部１０ａの側部のうち、本体部１０ａ〜１０ｃの長手方向の一方の端部側の領域にて連接辺となる山折り予定線１３ａを介して本体部１０ａと山折り可能に連接するとともに、山折り予定線１３ａの端部のうち本体部１０ａ〜１０ｃの長手方向中央側の端部からバンド部１１ａの反対側の側部まで延びた山折り予定線１４ａが設けられている。また、この山折り予定線１４ａを介して本体部１０ａと連接している側とは反対側には、表面シート３、支持シート４及び剥離台紙２に貫通した複数の孔部１５ａがその長手方向に並んで形成されているとともに、表面シート３に印刷が施されることにより模様１７ａが印刷されている。
【００２２】
２本のバンド部１１ａ，１１ｂのうち他方のバンド部１１ｂは、このバンド部１１ｂに並行して隣接する本体部１０ｃの側部のうち、本体部１０ａ〜１０ｃの長手方向の、バンド部１１ａが本体部１０ａに連接した端部とは反対側の端部側の領域にて連接辺となる山折り予定線１３ｂを介して本体部１０ｃと山折り可能に連接するとともに、山折り予定線１３ｂの端部のうち本体部１０ａ〜１０ｃの長手方向中央側の端部からバンド部１１ｂの反対側の側部まで延びた山折り予定線１４ｂが設けられている。また、この山折り予定線１４ｂを介して本体部１０ｂと連接している側とは反対側には、表面シート３、支持シート４及び剥離台紙２に貫通した複数の孔部１５ｂがその長手方向に並んで形成されているとともに、表面シート３に印刷が施されることにより模様１７ｂが印刷されている。
【００２３】
これら２本のバンド部１１ａ，１１ｂは、表面シート３と支持シート４とが粘着剤６によって直接貼着されて構成され、支持シート４が擬似貼着層７を介して剥離台紙２に剥離可能に貼着されている。
【００２４】
表面シート３は、リストバンド１となる領域と枠部９とからなり、リストバンド１となる領域は、スリット８によって枠部９から分離可能となっており、枠部９となる領域は、粘着剤６を介して剥離台紙２に剥離可能に貼着されている。なお、この擬似貼着層７は、剥離台紙２に貼着可能に構成され、剥離台紙２から剥離した場合に貼着機能を失うものであり、フィルム等を用いて構成されている。
【００２５】
以下に、上記のように構成されたリストバンド１の使用方法について説明する。
【００２６】
まず、情報を印字可能であるとともにＩＣチップ１８に対して情報の書き込みが可能なプリンタを用いて、リストバンド１が剥離台紙２に貼着された状態において、表面シート３の本体部１０ａとなる領域に患者情報１６を印字するとともに、バンド部１１ａ，１１ｂとなる領域に模様１７ａ，１７ｂを印刷する。これにより、本体部１０ａとバンド部１１ａ，１１ｂとの同一面側に印刷が施されることになる。また、このプリンタにおいてインレット５のＩＣチップ１８に情報を書き込む。例えば、病院等において、検査や治療のために入院する患者の手首や足首にこのリストバンド１を装着させて使用する場合、図１（ａ）に示すように、表面シート３の本体部１０ａの部分に、患者の氏名やＩＤからなる患者情報１６を印字するとともに、この患者の氏名や血液型、受診科目、病棟名等の患者に関する情報をＩＣチップ１８に書き込む。この際、剥離台紙２にリストバンド１が装着された状態においては、リストバンド１を構成する帯状の３本の本体部１０ａ〜１０ｃ及び２本のバンド部１１ａ，１１ｂが並行して配置されているため、リストバンド１全体で細長い帯状形状となっておらず、それにより、細長いリストバンド１をその長手方向に搬送しながら情報を印刷する必要がなくなり、製造効率が向上する。また、このように表面シート３に対する患者情報１６の印字とＩＣチップ１８に対する情報の書き込みとを１つの装置にて行うことにより、表面シート３に印字された患者情報１６と、ＩＣチップ１８に書き込まれた情報とのマッチングミスを防止することができる。また、患者情報１６と模様１７ａ，１７ｂとが表面シート３に印刷されるので、両面印刷を施す必要がない。
【００２７】
このようにして表面シート３に患者情報１６や模様１７ａ，１７ｂが印刷されるとともにＩＣチップ１８に情報が書き込まれたリストバンド１は、剥離台紙２から剥離され、上述したように、例えば、病院等において患者の手首や足首に装着されて使用されることになる。なお、剥離台紙２に貼着されたリストバンド１は、上述したように、支持シート４が粘着剤６または擬似貼着層７によって剥離台紙２に剥離可能に貼着されているため、剥離台紙２から剥離することができる。また、表面シート３に形成されたスリット８によって、リストバンド１となる領域を枠部９から分離することができる。
【００２８】
図２は、図１に示したリストバンド１の使用方法を説明するための図である。
【００２９】
剥離台紙２から剥離されたリストバンド１を装着可能な状態とするためには、まず、バンド部１１ａ，１１ｂを山折り予定線１４ａ，１４ｂにてそれぞれ山折りにする。すると、図２（ａ）に示すように、バンド部１１ａ，１１ｂの表裏が反転するとともに長手方向の向きが逆になる。この際、バンド部１１ａ，１１ｂはそれぞれ、山折り予定線１４ａ，１４ｂを介して対向する領域が、重なり合って２重となる。
【００３０】
次に、本体部１０ａとバンド部１１ａとの連接辺となる山折り予定線１３ａにて本体部１０ａとバンド部１１ａとを山折りにするとともに、本体部１０ｃとバンド部１１ｂとの連接辺となる山折り予定線１３ｂにて本体部１０ｃとバンド部１１ｂとを山折りにする。すると、図２（ｂ）に示すように、バンド部１１ａ，１１ｂの表裏が元の状態に戻る。また、本体部１０ａが、バンド部１１ａのうち、バンド部１１ａが山折り予定線１４ａにて山折りされることにより２重となった領域に対向し、バンド部１１ａのこの領域が粘着剤６によって本体部１０ａに貼着された状態で本体部１０ａとバンド部１１ａとが一直線上に並んだ状態となる。また、同様に、本体部１０ｃが、バンド部１１ｂのうち、バンド部１１ｂが山折り予定線１４ｂにて山折りされることにより２重となった領域に対向し、バンド部１１ｂのこの領域が粘着剤６によって本体部１０ｃに貼着された状態で本体部１０ｃとバンド部１１ｂとが一直線上に並んだ状態となる。
【００３１】
このように、バンド部１１ａ，１１ｂのうち、バンド部１１ａ，１１ｂが山折り予定線１４ａ，１４ｂにて山折りされることにより２重となった領域が、粘着剤６によって本体部１０ａ，１０ｃに貼着されるので、バンド部１１ａ，１１ｂの２重となった領域が粘着剤６によって本体部１０ａ，１０ｃにそれぞれ固定され、バンド部１１ａ，１１ｂと本体部１０ａ，１０ｃとの連接辺となる山折り予定線１３ａ，１３ｂが破断しにくくなる。
【００３２】
次に、本体部１０ｂと本体部１０ｃとを山折り予定線１２ｂにて山折りにする。すると、図２（ｃ）に示すように、本体部１０ｂと本体部１０ｃとが、バンド部１１ｂの２重となった領域を挟み込んで重なり合うとともに、バンド部１１ｂの表裏が反転する。そして、本体部１０ｂと本体部１０ｃとが粘着剤６によって貼着される。
【００３３】
その後、本体部１０ａと本体部１０ｂとを山折り予定線１２ａにて山折りにする。すると、図２（ｄ）に示すように、本体部１０ａと本体部１０ｃとが、バンド部１１ａの２重となった領域を挟み込んで重なり合うとともに、バンド部１１ｂの表裏が元の状態に戻る。そして、本体部１０ａと本体部１０ｃとが粘着剤６によって貼着される。この際、リストバンド１が、バンド部１１ａ，１１ｂに３本の本体部１０ａ〜１０ｃが並行して配置されており、これら３本の本体部１０ａ〜１０ｃを山折り予定線１２ａ，１２ｂにて山折りするため、表面シート３の本体部１０ａとなる領域に印刷された患者情報１６と、バンド部１１ａ，１１ｂに印刷された模様１７ａ，１７ｂとが同一面側に表出することになる。
【００３４】
このようにして山折り予定線１２ａ，１２ｂ，１３ａ，１３ｂ，１４ａ，１４ｂにて山折りされたリストバンド１は、図２（ｅ）に示すように、本体部１０ａと本体部１０ｃとが、バンド部１１ａの２重となった領域を挟み込んで粘着剤６によって貼着されるとともに、本体部１０ｂと本体部１０ｃとが、バンド部１１ｂの２重となった領域を挟み込んで粘着剤６によって貼着され、貼着された本体部１０ａ〜１０ｃとバンド部１１ａ，１１ｂとがその一部が重なって一直線上に並んだ細長い帯状形状となる。そして、このリストバンド１を本体部１０ｂ側が装着面となるように手首や足首に装着し、バンド部１１ａに設けられた孔部１５ａとバンド部１１ｂに設けられた孔部１５ｂとにクリップ等を挿入することによって固定して使用することになる。この際、バンド部１１ａ，１１ｂは、剥離台紙２に貼着された状態においては、擬似貼着層７を介して剥離台紙２に貼着されており、その裏面には粘着剤６が塗布されていないため、バンド部１１ａ，１１ｂが他の物品やリストバンド１の他の領域等に貼着されてしまうことがない。
【００３５】
ここで、本体部１０ａには、ＩＣチップ１８及びアンテナ１９を有するインレット５が内蔵されているが、このリストバンド１を装着した手首や足首が濡れている場合、その水分によって、アンテナ１９の共振に悪影響が及ぼされてしまう。ところが、本形態においては、本体部１０ｂ側が装着面となるように手首や足首に装着した場合、インレット５が内蔵された本体部１０ａは、本体部１０ａと本体部１０ｂとの間に介在する本体部１０ｃやバンド部１１ａ，１１ｂの２重となった領域によって、手首や足首から若干浮き上がった状態となるため、このリストバンド１を装着する手首や足首が濡れている場合であっても、アンテナ１９の共振への影響が軽減されることになる。
【００３６】
（第２の実施の形態）
図３は、本発明のリストバンドの第２の実施の形態を示す図であり、（ａ）は全体の構成を示す図、（ｂ）は（ａ）に示したＡ−Ａ’断面図、（ｃ）は（ａ）に示したリストバンド１０１の裏面の構成を示す図である。
【００３７】
本形態は図３に示すように、図１に示したものに対して、３本の本体部１１０ａ〜１１０ｃのうち、バンド部１１１ａ，１１１ｂに連接する本体部１１０ａ，１１０ｃが、その長手方向におけるバンド部１１１ａ，１１１ｂに連接する端部とは反対側の端部が、山折り予定線１１３ａ，１１３ｂの長さ分だけ短くなっているとともに、これら本体部１１０ａ，１１０ｃのうち、本体部１１０ａ，１１０ｃとバンド部１１１ａ，１１１ｂとが山折り予定線１１３ａ，１１３ｂにて山折りされた場合に、２本のバンド部１１１ａ，１１１ｂがバンド部１１１ａ，１１１ｂの山折り予定線１１４ａ，１１４ｂにてそれぞれ山折りされて２重となった領域に対向する領域のみに粘着剤１０６が塗布され、その他の領域は擬似貼着層１０７を介して剥離台紙２に剥離可能に貼着されている点が異なるものである。
【００３８】
以下に、上記のように構成されたリストバンド１０１の使用方法について説明する。
【００３９】
まず、第１の実施の形態に示したものと同様に、リストバンド１０１が剥離台紙１０２に貼着された状態において、表面シート１０３の本体部１１０ａとなる領域に患者情報１１６を印字するとともに、バンド部１１１ａ，１１１ｂとなる領域に模様１１７ａ，１１７ｂを印刷し、また、インレット１０５のＩＣチップ１１８に情報を書き込む。
【００４０】
このようにして表面シート１０３に患者情報１１６や模様１１７ａ，１１７ｂが印刷されるとともにＩＣチップ１１８に情報が書き込まれたリストバンド１０１は、剥離台紙１０２から剥離され、例えば、病院等において患者の手首や足首に装着されて使用されることになる。
【００４１】
図４は、図３に示したリストバンド１０１の使用方法を説明するための図である。
【００４２】
剥離台紙１０２から剥離されたリストバンド１０１を装着可能な状態とするためには、まず、バンド部１１１ａ，１１１ｂを山折り予定線１１４ａ，１１４ｂにてそれぞれ山折りにする。すると、図４（ａ）に示すように、バンド部１１１ａ，１１１ｂの表裏が反転するとともに長手方向の向きが逆になる。この際、バンド部１１１ａ，１１１ｂはそれぞれ、山折り予定線１１４ａ，１１４ｂを介して対向する領域が、重なり合って２重となる。
【００４３】
次に、本体部１１０ａとバンド部１１１ａとの連接辺となる山折り予定線１１３ａにて本体部１１０ａとバンド部１１１ａとを山折りにするとともに、本体部１１０ｃとバンド部１１１ｂとの連接辺となる山折り予定線１１３ｂにて本体部１１０ｃとバンド部１１１ｂとを山折りにする。すると、図４（ｂ）に示すように、バンド部１１１ａ，１１１ｂの表裏が元の状態に戻るとともに、バンド部１１１ａ，１１１ｂの２重となった領域が本体部１１０ａ，１１０ｃの粘着剤１０６が塗布された領域に対向し、この粘着剤１０６によってバンド部１１１ａ，１１１ｂが本体部１１０ａ，１１０ｃにそれぞれ貼着された状態で本体部１１０ａ，１１０ｃとバンド部１１１ａ，１１１ｂとが一直線上に並んだ状態となる。
【００４４】
このように、バンド部１１１ａ，１１１ｂのうち、バンド部１１１ａ，１１１ｂが山折り予定線１１４ａ，１１４ｂにて山折りされることにより２重となった領域が、粘着剤１０６によって本体部１１０ａ，１１０ｃに貼着されるので、バンド部１１１ａ，１１１ｂの２重となった領域が粘着剤１０６によって本体部１１０ａ，１１０ｃにそれぞれ固定され、バンド部１１１ａ，１１１ｂと本体部１１０ａ，１１０ｃとの連接辺となる山折り予定線１１３ａ，１１３ｂが破断しにくくなる。
【００４５】
次に、本体部１１０ｂと本体部１１０ｃとを山折り予定線１１２ｂにて山折りにする。すると、図４（ｃ）に示すように、本体部１１０ｂと本体部１１０ｃとが、バンド部１１１ｂの２重となった領域を挟み込んで重なり合うとともに、バンド部１１１ｂの表裏が反転する。
【００４６】
その後、本体部１１０ａと本体部１１０ｂとを山折り予定線１１２ａにて山折りにする。すると、図４（ｄ）に示すように、本体部１１０ａと本体部１１０ｂとが、バンド部１１１ａの２重となった領域を挟み込んで重なり合うとともに、バンド部１１１ｂの表裏が元の状態に戻る。この際、リストバンド１０１が、バンド部１１１ａ，１１１ｂに３本の本体部１１０ａ〜１１０ｃが並行して配置されており、これら３本の本体部１１０ａ〜１１０ｃを山折り予定線１１２ａ，１１２ｂにて山折りするため、表面シート１０３の本体部１１０ａとなる領域に印刷された患者情報１１６と、バンド部１１１ａ，１１１ｂに印刷された模様１１７ａ，１１７ｂとが同一面側に表出することになる。
【００４７】
このようにして山折り予定線１１２ａ，１１２ｂ，１１３ａ，１１３ｂ，１１４ａ，１１４ｂにて山折りされたリストバンド１０１は、図４（ｅ）に示すように、本体部１１０ａと本体部１１０ｂとが、バンド部１１１ａの２重となった領域を挟み込んで重なり合うとともに、本体部１１０ｂと本体部１１０ｃとが、バンド部１１１ｂの２重となった領域を挟み込んで重なり合い、これら本体部１１０ａ〜１０ｃとバンド部１１１ａ，１１１ｂとがその一部が重なって一直線上に並んだ細長い帯状形状となる。そして、このリストバンド１０１を本体部１１０ｂ側が装着面となるように手首や足首に装着し、バンド部１１１ａに設けられた孔部１１５ａとバンド部１１１ｂに設けられた孔部１１５ｂとにクリップ等を挿入することによって固定して使用することになる。この際、バンド部１１１ａ，１１１ｂは、剥離台紙１０２に貼着された状態においては、擬似貼着層１０７を介して剥離台紙１０２に貼着されており、その裏面には粘着剤１０６が塗布されていないため、バンド部１１１ａ，１１１ｂが他の物品やリストバンド１０１の他の領域等に貼着されてしまうことがない。
【００４８】
また、本形態においては、３本の本体部１１０ａ〜１１０ｃのうち、バンド部１１１ａ，１１１ｂに連接する本体部１１０ａ，１１０ｃが、長手方向におけるバンド部１１１ａ，１１１ｂに連接する端部とは反対側の端部が、山折り予定線１１３ａ，１１３ｂの長さ分だけ短くなっているため、本体部１１０ａ〜１１０ｃを山折り予定線１１２ａ，１１２ｂにて山折りすると、図４（ｅ）に示すように、バンド部１１１ａ，１１１ｂの２重となった領域に重なる本体部が、３本の本体部１１０ａ〜１１０ｂのうちいずれかの２本となるので、本体部１１０ａ〜１１０ｃとバンド部１１１ａ，１１１ｂとが重なり合う領域と、本体部１１０ａ〜１１０ｂのみが重なり合う領域との厚さの差を小さくすることができ、それにより、リストバンド１０１全体における凹凸を軽減することができる。
【００４９】
なお、本形態においては、バンド部１１１ａ，１１１ｂに山折り予定線１１３ａ，１１３ｂを介して連接した本体部１１０ａ，１１０ｃのうち、本体部１１０ａ，１１０ｃとバンド部１１１ａ，１１１ｂとが山折り予定線１１３ａ，１１３ｂにて山折りされた場合に、２本のバンド部１１１ａ，１１１ｂがバンド部１１１ａ，１１１ｂの山折り予定線１１４ａ，１１４ｂにてそれぞれ山折りされて２重となった領域に対向する領域に粘着剤１０６が塗布されているが、本体部１１０ｂのうち、本体部１１０ａ〜１１０ｃが山折り予定線１１２ａ，１１２ｂにて山折りされた場合にバンド部１１１ａ，１１１ｂの２重となった領域に対向する領域に粘着剤１０６を塗布する構成としてもよい。すなわち、本体部１１０ａ〜１１０ｃのうち、２本のバンド部１１１ａ，１１１ｂが山折り予定線１１４ａ，１１４ｂにてそれぞれ山折りされ、かつ、本体部１１０ａ〜１１０ｃとバンド部１１１ａ，１１１ｂとが山折り予定線１１２ａ，１１２ｂ，１１３ａ，１１３ｂにて山折りされた場合に、バンド部１１１ａ，１１１ｂのそれぞれについて、バンド部１１１ａ，１１１ｂが山折りされることにより２重となった領域に対向する領域のうち、少なくとも１つの本体部の領域に粘着剤１０６が塗布されていれば、バンド部１１１ａ，１１１ｂの２重となった領域が粘着剤１０６によって本体部１１０ａ〜１１０ｃにそれぞれ固定され、バンド部１１１ａ，１１１ｂと本体部１１０ａ，１１０ｃとの連接辺となる山折り予定線１１３ａ，１１３ｂが破断しにくくなる。
【００５０】
また、上述した２つの実施の形態においては、バンド部１１ａ，１１ｂ，１１１ａ，１１１ｂに並行して隣接する本体部１０ａ，１０ｃ，１１０ａ，１１０ｃのうち、一方の本体部１０ａ，１１０ａのみに患者情報１６が印刷されているが、本体部１０ｃ，１１０ｃにも何らかの情報を印刷してもよい。
【００５１】
また、上述した２つの実施の形態においては、３本の本体部１０ａ〜１０ｃ，１１０ａ〜１１０ｃが並行して山折り予定線１２ａ，１２ｂ，１１２ａ，１１２ｂにて山折り可能に連接したものを例に挙げて説明したが、本発明のリストバンドを構成する本体部の数は３本に限らず、奇数本であればよく、奇数本の本体部のうちバンド部に並行する本体部の１つに、バンド部に施された印刷とともに表出させたい印刷が施されているものであれば、同様の効果を得ることができる。
【符号の説明】
【００５２】
１，１０１    リストバンド
２，１０２    剥離台紙
３，１０３    表面シート
４，１０４    支持シート
５，１０５    インレット
６，１０６    粘着剤
７，１０７    擬似貼着層
８，１０８    スリット
９，１０９    枠部
１０ａ〜１０ｃ，１１０ａ〜１１０ｃ    本体部
１１ａ，１１ｂ，１１１ａ，１１１ｂ    バンド部
１２ａ，１２ｂ，１３ａ，１３ｂ，１４ａ，１４ｂ，１１２ａ，１１２ｂ，１１３ａ，１１３ｂ，１１４ａ，１１４ｂ    山折り予定線
１５ａ，１５ｂ，１１５ａ，１１５ｂ    孔部
１６，１１６    患者情報
１７ａ，１７ｂ，１１７ａ，１１７ｂ    模様
１８，１１８    ＩＣチップ
１９，１１９    アンテナ
【図１】
2010216038.tif 000003
【図２】
2010216038.tif 000004
【図３】
2010216038.tif 000005
【図４】
2010216038.tif 000006